(57)【要約】【課題】インナー管形式でビームパイプを取付けてなる防護柵のビームパイプ取付け用金具において、ビームパイプの支柱への着脱を短尺管を管軸方向に移動させることなく、ビームパイプの管端部を管軸に直交する横方向へ移動して行い得る防護柵のビームパイプ取付け用金具を提供する。【解決手段】支柱１の前面に取付ける左側継手金具３と、この左側継手金具３に重ねて取付ける右側継手金具４とからなり、左側継手金具３の左側と右側継手金具４の右側にはそれぞれビームパイプ５の管端内径部への挿入部９、１９が一体に形成され、左側継手金具３と右側継手金具４の重ね合せ部６〜８、１８は上下方向に分離可能で且つ重ね合せた際に左右方向への分離を規制する係合部１１、２３が形成されるとともに、支柱前面への取付部の重ね合せ部６、１８に通して支柱への取付け用ボルト孔１０、２４が設けられてなる。【選択図】        図１
2004270218.tif 000002
【特許請求の範囲】
【請求項１】
適宜間隔をおいて建植された複数本の支柱前面にビームパイプを取付けてなる防護柵の、ビームパイプを支柱前面に取付けるための金具において、前記支柱前面に取付ける左側継手金具と、この左側継手金具に重ねて取付ける右側継手金具とからなり、左側継手金具の左側と右側継手金具の右側にはそれぞれビームパイプの管端内径部への挿入部が一体に形成され、左側継手金具と右側継手金具の重ね合せ部は上下方向に分離可能で且つ重ね合せた際に左右方向への分離を規制する係合部が形成されるとともに、前記支柱前面への取付部の重ね合せ部に通して支柱への取付け用ボルト孔が設けられてなることを特徴とする防護柵のビームパイプ取付け用金具。
【請求項２】
左右の継手金具の挿入部が中空に形成され、重ね合せ部がその挿入部の中空部に貫通すると共に重ね合せた際に上下方向に分離可能な管状に形成されてなる請求項１に記載の防護柵のビームパイプ取付け用金具。
【請求項３】
左右の継手金具の挿入部が、その上下面のいずれかにビームパイプを固定して取付けるボルト孔を備えてなる請求項１又は２に記載の防護柵のビームパイプ取付け用金具。
【発明の詳細な説明】
【０００１】
【発明の属する技術分野】
本発明は、道路等に設置される防護柵のビームパイプ取付け用金具に関し、詳細には、適宜間隔をおいて建植された複数本の支柱前面にビームパイプが取付けられてなる防護柵の、ビームパイプを支柱前面に取付けるための金具に関するものである。
【０００２】
【従来の技術】
従来、道路等に設置される防護柵には、例えば実開昭６０−１４８３２１号公報に示されるような円形支柱の前面にブラケットを介してビームパイプを取付けた形式や、実開昭５８−７６６２２号公報、実公昭５９−５０５６号公報、実開昭６２−１９６２２３号公報に示されるような円形支柱間にブラケットを介してビームパイプを取付けた形式のもの等、種々の形式のものが知られている。
【０００３】
ところで、本発明者等は、従来より、前者の支柱の前面にビームパイプ取付用金具を介してビームパイプを取付けた形式の防護柵の改良、開発を行ってきている。
【０００４】
上記実開昭６０−１４８３２１号公報に示される防護柵において理解されるように、一般に、支柱の前面にビームパイプを取付ける形式に用いられるビームパイプ取付用金具としては、図７に示すように、左右のビームパイプの管端部５１、５２を突き合すように収容する収容部５３、５４を備える金具５５であって、例えば断面コの字状に形成した金具５５、半割状の管材などがある。また、別の形式の金具としては、図８に示すように、支柱５６の前面にブラケット５７介して取付けた短尺管５８の左右端にビームパイプの管端部５１、５２を突き合すように挿入して取付けるインナー管形式の金具がある。
【０００５】
【特許文献１】
実開昭６０−１４８３２１号公報
【特許文献２】
実開昭５８−７６６２２号公報
【特許文献３】
実公昭５９−５０５６号公報
【特許文献４】
実開昭６２−１９６２２３号公報
【０００６】
【発明が解決しようとする課題】
ところで、上記収容部を備える形式の金具においては、ビームパイプの管端部を金具の収容部に取付け、あるいは金具の収容部から取出すには、例えば断面コの字状に形成した金具の場合にはコの字状の開口部、半割状の管材の場合には半割面の開口部を介してビームパイプの管端部を管軸（管の中心軸）に直交する横方向へ移動して行える。しかし、上記インナー管形式の金具の場合には、ビームパイプを支柱から外す場合、短尺管をブラケットから外した後、短尺管をビームパイプの一方の管端内径部に移動して他方の管端内径部から抜き出した後でないとビームパイプの管端部を管軸（管の中心軸）に直交する横方向へ移動することができない。その上、前記短尺管の一方の管端内径部から他方の管端内径部への移動がしにくく、施工時あるいは補修時のビームパイプの着脱作業性が劣る。
【０００７】
本発明は、上記の事情に鑑みてなされたものであって、その目的は、インナー管形式でビームパイプを取付けてなる防護柵のビームパイプ取付け用金具において、ビームパイプの支柱への着脱を短尺管を管軸方向に移動させることなく、収容部を備える形式の金具と同様にビームパイプの管端部を管軸に直交する横方向へ移動して行い得る防護柵のビームパイプ取付け用金具を提供するものである。
【０００８】
【課題を解決するための手段】
上記の目的を達成するために、本発明（請求項１）に係る防護柵のビームパイプ取付け用金具は、適宜間隔をおいて建植された複数本の支柱前面にビームパイプを取付けてなる防護柵の、ビームパイプを支柱前面に取付けるための金具において、前記支柱前面に取付ける左側継手金具と、この左側継手金具に重ねて取付ける右側継手金具とからなり、左側継手金具の左側と右側継手金具の右側にはそれぞれビームパイプの管端内径部への挿入部が一体に形成され、左側継手金具と右側継手金具の重ね合せ部は上下方向に分離可能で且つ重ね合せた際に左右方向への分離を規制する係合部が形成されるとともに、前記支柱前面への取付部の重ね合せ部に通して支柱への取付け用ボルト孔が設けられてなるものである。
【０００９】
上記構成では、ビームパイプを支柱に取付ける場合、左側継手金具の挿入部を左側ビームパイプの管端内径部に、右側継手金具の挿入部を右側ビームパイプの管端内径部にそれぞれ挿入した後、左側継手金具と右側継手金具の重ね合せ部を、左右方向への分離を規制する係合部及び支柱前面への取付部の重ね合せ部がそれぞれ重なるように上下方向より重ね合せ、この後、支柱前面への取付部の重ね合せ部に形成されている支柱への取付け用ボルト孔にボルトをもって支柱へ取付けることができ、またビームパイプを支柱から取外す場合、前述の逆の手順で取外すことができるので、従来のようなインナー管をビームパイプの管端内径部で移動させることなく、ビームパイプの管端部を管軸に直交する横方向（上下方向）へ移動して行え、防護柵の施工あるいは補修の際のビームパイプの着脱作業がしやすくなる。なお、左右の継手金具の重ね合せ部の構造を、左右入れ替えた構造としても、また上下方向を逆にしても本発明を満たすものであることは言うまでもない。また、インナー管形式と同様にビームパイプの管端部を段差無く取付けることができる。
【００１０】
そして、上記本発明においては、更に、左右の継手金具の挿入部が中空に形成され、重ね合せ部がその挿入部の中空部に貫通すると共に重ね合せた際に上下方向に分離可能な管状に形成されてあってもよい（請求項２）。このように構成することで、軽量にして上記作用効果を享受できる。
【００１１】
また、上記本発明においては、左右の継手金具の挿入部が、その上下面のいずれかにビームパイプを固定して取付けるボルト孔を備えてあってもよい（請求項３）。このように構成することで、ビームパイプを支柱に確実に取付けることができる上に、ボルト孔を下面に備えるようにした場合にはボルトの頭が突出することがないので、歩行者が衣服や手などを引っ掛ける懸念がない。
【００１２】
【発明の実施の形態】
以下、本発明の実施形態を図面に基づいて説明する。図１は、本発明に係る防護柵のビームパイプ取付け用金具の説明図であって、ａは上面図、ｂはａの側面図、図２は、本発明に係る防護柵のビームパイプ取付け用金具の左側継手金具の説明図であって、ａは正面図、ｂは上面図、ｃは左側面図、ｄは右側面図、図３は、本発明に係る防護柵のビームパイプ取付け用金具の右側継手金具の説明図であって、ａは正面図、ｂは上面図、ｃは左側面図、ｄは右側面図である。図において、１は支柱、２はビームパイプ取付け用金具、３は左側継手金具、４は右側継手金具、５はビームパイプである。
【００１３】
支柱１は、丸パイプであって、通常、施工現場において、道路等に沿って所定の間隔で立設され、その前面（後面でもよい）にビームパイプ取付け用金具２を介してビームパイプ５を取付けることで、防護柵として構成されている。なお、支柱１は、丸パイプとしたが、支柱としての機能を果たすものであればその形状は特に限定するものではなく、例えば、中実の棒材や角パイプなどであってもよい。
【００１４】
ビームパイプ取付け用金具２は、アルミニウム合金鋳物製であって左右の継手金具３、４で構成されている。左側継手金具３は、支柱１への取付部となる重ね合せ部６と、この重ね合せ部６の上端部及び左端部より前方へ延在して形成された重ね合せ部７、８と、左重ね合せ部８の左側面に突設されたビームパイプ５の管端内径部への挿入部９とで構成されている。重ね合せ部６には支柱１への取付ボルト用の挿通孔１０が形成されるとともに、右端部に筋状の係合突起１１が形成されている。また、上重ね合せ部７は、重ね合せ部６側の勾配部１２及びその先の、ビームパイプ５の断面外側円弧とほぼ同じ円弧で形成された円弧部１３とで構成されている。また、前記挿入部９は、先端側にテーパ部１４を有する円管状に形成され、円弧部１３と同心になるように設けられるとともに、テーパ部１４にビームパイプ５の管端部を固定して取付けるための取付ボルト用のネジ孔１５が形成されている。また、左重ね合せ部８は、上重ね合せ部７の内側形状に合せて、重ね合せ部６側のテーパ部１６及びその先の、ビームパイプ５の断面内側円弧とほぼ同じ円弧で形成された円弧部１７とで構成されている。
【００１５】
右側継手金具４は、左側継手金具３の重ね合せ部６、上重ね合せ部７及び左重ね合せ部８に囲まれる空間形状とほぼ同形状に形成されたブロック体１８と、このブロック体１８の右側面に突設されたビームパイプ５の管端内径部への挿入部１９と、このブロック体１８の下側外周面に沿って形成した、上重ね合せ部７と同形状の勾配部２０、円弧部２１を有する下重ね合せ部２２とで構成されている。そして、左側継手金具３の重ね合せ部６と重なる面のブロック体１８の右端部には、重ね合せ部６の係合突起１１に係合する筋状の係合溝２３が形成され、またブロック体１８の内部に向かっては支柱１への取付ボルト用のネジ孔２４が、重ね合せ部６の挿通孔１０とほぼ同心に形成されている。また、挿入部１９は、上記挿入部９と同形状に形成されている。なお、この挿入部９、１９に形成したテーパ部１４により、ビームパイプ５を支柱１に取付ける際に多少の傾斜を吸収して取付けることができる。
【００１６】
次に、上記ビームパイプ取付け用金具２を用いて支柱１の前面にビームパイプ５を取付ける手順について説明する。先ず、左側継手金具３の挿入部９を左側ビームパイプ５の管端内径部に、右側継手金具４の挿入部１９を右側ビームパイプ５の管端内径部にそれぞれ挿入する。次いで、左側継手金具３の重ね合せ部６、上重ね合せ部７及び左重ね合せ部８に囲まれる空間内に右側継手金具４の重ね合せ部であるブロック体１８を、左右方向への分離を規制する係合突起１１と係合溝２３とが係合するようにして、及び支柱１の前面への取付部の重ね合せ部６とこの重ね合せ部６と重なるブロック体１８の面とが重なるようにして上下方向より収容する。この後、重ね合せ部６を支柱１の前面へ添え、支柱１の背後から挿通させた取付ボルト（図示せず）を、重ね合せ部６の挿通孔１０を挿通させ、ブロック体１８のネジ孔２４に螺合させて支柱１の前面に取付けるとともに、挿入部９、１９に挿入させたビームパイプ５、５を、テーパ部１４、１４のネジ孔１５、１５に取付ボルト（図示せず）でもって固定する。なお、ビームパイプ５を支柱１から取外す場合は、前述の逆の手順で取外すことができる。
【００１７】
本発明に係る防護柵のビームパイプ取付け用金具２によれば、上記の手順によって支柱１の前面にビームパイプ５を着脱できるので、従来のようなインナー管をビームパイプの管端内径部で移動させることなく、ビームパイプ５の管端部を管軸に直交する横方向（上下方向）へ移動して行え、防護柵の施工あるいは補修の際のビームパイプ５の着脱作業がしやすく、作業性が良い。
【００１８】
なお、上記の例では、左右方向への分離を規制する係合突起１１と係合溝２３を重ね合せ部６とこの重ね合せ部６と重なるブロック体１８の面との間で設ける例を説明したが、上重ね合せ部７とこの上重ね合せ部７と重なるブロック体１８の面との間で設けてもよい。
【００１９】
図４は、本発明に係る防護柵のビームパイプ取付け用金具の別の実施形態を示す説明図であって、ａは上面図、ｂはａの側面図、図５は、本発明に係る防護柵のビームパイプ取付け用金具の左側継手金具の説明図であって、ａは正面図、ｂは上面図、ｃは左側面図、ｄは右側面図、図６は、本発明に係る防護柵のビームパイプ取付け用金具の右側継手金具の説明図であって、ａは正面図、ｂは上面図、ｃは右側面図、ｄは背面図である。図において、２５はビームパイプ取付け用金具、２６は左側継手金具、２７は右側継手金具である。
【００２０】
ビームパイプ取付け用金具２５は、アルミニウム合金鋳物製であって左右の継手金具２６、２７で構成されている。左側継手金具２６は、後記する右側継手金具２７の支柱１への取付部となる重ね合せ部３８に重ね合さる板状の重ね合せ部２８と、この重ね合せ部２８の上端部より前方へ庇状に延在して形成された上重ね合せ部２９と、この上重ね合せ部２９の内側の左端部に形成された左重ね合せ部３０と、この左重ね合せ部３０の左側面に突設されたビームパイプ５の管端内径部への挿入部３１とで構成されている。重ね合せ部２８には支柱１への取付ボルト用の挿通孔３２が形成されている。また、上重ね合せ部２９は、重ね合せ部２８側の勾配部３３及びその先の、ビームパイプ５の断面外側円弧とほぼ同じ円弧で形成された半円状の円弧部３４とで構成されている。また、前記挿入部３１は、先端側にテーパ部３５を有する円管状に形成され、円弧部３４と同心になるように設けられるとともに、ビームパイプ５の管端部を固定して取付けるための取付ボルト用のネジ孔３６が形成されている。また、左重ね合せ部３０は、上重ね合せ部２９の内側形状に合せてビームパイプ５の断面内側円弧とほぼ同じ円弧で形成された円弧部３７で構成されている。
【００２１】
右側継手金具２７は、支柱１への取付部となる重ね合せ部３８と、この重ね合せ部３８の両端部より前方へ突き出して形成されたリブ３９と、重ね合せ部３８の前方でリブ３９の上端部に支持して形成された、上記左側継手金具２６の上重ね合せ部２９と重ね合さる下重ね合せ部４０と、この下重ね合せ部４０の内側に形成された、上記左側継手金具２６の左重ね合せ部３０と重ね合さる（突き合さる）右重ね合せ部４１と、この右重ね合せ部４１の右側面に突設されたビームパイプ５の管端内径部への挿入部４２とで構成されている。そして、重ね合せ部３８には支柱１への取付ボルト用の挿通孔４３が形成され、また重ね合せ部３８と下重ね合せ部４０との間には、左側継手金具２６の重ね合せ部２８を挿通し左右方向への分離を規制する挿通孔４４が形成されている。また、下重ね合せ部４０は、ビームパイプ５の断面外側円弧とほぼ同じ円弧の半円状の円弧部４５で構成されている。また、前記挿入部４２は、先端側にテーパ部３５を有する円管状に形成され、円弧部４５と同心になるように設けられるとともに、ビームパイプ５の管端部を固定して取付けるための取付ボルト用のネジ孔３６が形成されている。また、右重ね合せ部４１は、下重ね合せ部４０の内側形状に合せてビームパイプ５の断面内側円弧とほぼ同じ円弧で形成された円弧部４６で構成されている。
【００２２】
次に、上記ビームパイプ取付け用金具２５を用いて支柱１の前面にビームパイプ５を取付ける手順について説明する。先ず、左側継手金具２６の挿入部３１を左側ビームパイプ５の管端内径部に、右側継手金具２７の挿入部４２を右側ビームパイプ５の管端内径部にそれぞれ挿入する。次いで、左側継手金具２６の重ね合せ部２８を、右側継手金具２７の重ね合せ部３８と下重ね合せ部４０との間に形成した挿通孔４４に挿通するとともに、左右の継手金具２６、２７の各重ね合せ部すなわち重ね合せ部２８と３８、上下重ね合せ部２９と４０、左右重ね合せ部３０と４１をそれぞれ重ね合わす。この後、重ね合せ部３８を支柱１の前面へ添え、支柱１の背後から挿通させた取付ボルト（図示せず）を、重ね合せ部２８と３８のそれぞれの挿通孔３２と４３に挿通させ、ナット（図示せず）を螺合させて支柱１の前面に取付け、また挿入部３１、４２に挿入させたビームパイプ５、５を、ネジ孔３６、３６に取付ボルト（図示せず）でもって固定する。なお、ビームパイプ５を支柱１から取外す場合は、前述の逆の手順で取外すことができる。
【００２３】
本発明に係る防護柵のビームパイプ取付け用金具２５によれば、上記の手順によって支柱１の前面にビームパイプ５を着脱できるので、従来のようなインナー管をビームパイプの管端内径部で移動させることなく、ビームパイプ５の管端部を管軸に直交する横方向（上下方向）へ移動して行え、防護柵の施工あるいは補修の際のビームパイプ５の着脱作業がしやすく、作業性が良い。
【００２４】
なお、上記本発明に係る防護柵のビームパイプ取付け用金具２と２５は、防護柵を構成する上段から下段までの全てのビームパイプをいずれか一方の金具を用いて取付けてもよいし、あるいはビームパイプ取付け用金具２５をキャップに設けたブラケットに取付け、その下段はビームパイプ取付け用金具２で取付けてもよい。
【００２５】
【発明の効果】
以上説明したように、防護柵のビームパイプ取付け用金具によれば、ビームパイプの支柱への着脱を、インナー管方式のように短尺管を管軸方向に移動させることなく、ビームパイプの管端部を管軸に直交する横方向へ移動して行うことができ、防護柵の施工あるいは補修の際のビームパイプの着脱作業がしやすく、作業性の改善を図ることができる。
【図面の簡単な説明】
【図１】本発明に係る防護柵のビームパイプ取付け用金具の説明図であって、ａは上面図、ｂはａの側面図である。
【図２】本発明に係る防護柵のビームパイプ取付け用金具の左側継手金具の説明図であって、ａは正面図、ｂは上面図、ｃは左側面図、ｄは右側面図である。
【図３】本発明に係る防護柵のビームパイプ取付け用金具の右側継手金具の説明図であって、ａは正面図、ｂは上面図、ｃは左側面図、ｄは右側面図である。
【図４】本発明に係る防護柵のビームパイプ取付け用金具の別の実施形態を示す説明図であって、ａは上面図、ｂはａの側面図である。
【図５】本発明に係る防護柵のビームパイプ取付け用金具の左側継手金具の別の実施形態を示す説明図であって、ａは正面図、ｂは上面図、ｃは左側面図、ｄは右側面図である。
【図６】本発明に係る防護柵のビームパイプ取付け用金具の右側継手金具の別の実施形態を示す説明図であって、ａは正面図、ｂは上面図、ｃは右側面図、ｄは背面図である。
【図７】従来の防護柵のビームパイプ取付け用金具の説明図である。
【図８】従来の防護柵のビームパイプ取付け用金具の説明図である。
【符号の説明】
１：支柱                ２：ビームパイプ取付け用金具
３：左側継手金具        ４：右側継手金具        ５：ビームパイプ
６：重ね合せ部          ７：上重ね合せ部        ８：左重ね合せ部
９：挿入部            １０：挿通孔            １１：係合突起
１２：勾配部            １３：円弧部            １４：テーパ部
１５：ネジ孔            １６：テーパ部          １７：円弧部
１８：ブロック体        １９：挿入部            ２０：勾配部
２１：円弧部            ２２：下重ね合せ部      ２３：係合溝
２４：ネジ孔            ２５：ビームパイプ取付け用金具
２６：左側継手金具      ２７：右側継手金具      ２８：重ね合せ部
２９：上重ね合せ部      ３０：左重ね合せ部      ３１：挿入部
３２：挿通孔            ３３：勾配部            ３４：円弧部
３５：テーパ部          ３６：ネジ孔            ３７：円弧部
３８：重ね合せ部        ３９：リブ              ４０：下重ね合せ部
４１：右重ね合せ部      ４２：挿入部            ４３，４４：挿通孔
４５、４６：円弧部
【図１】
2004270218.tif 000003
【図２】
2004270218.tif 000004
【図３】
2004270218.tif 000005
【図４】
2004270218.tif 000006
【図５】
2004270218.tif 000007
【図６】
2004270218.tif 000008
【図７】
2004270218.tif 000009
【図８】
2004270218.tif 000010